(57)【特許請求の範囲】
【請求項１】
捕獲容器に形成された入口を閉鎖することにより上記入口から侵入した小動物を捕獲する小動物捕獲器であって、
捕獲容器内には、上記入口に臨むようにシーソー板が設けられ、
上記シーソー板は、入口から侵入した小動物が奥に移動することにより奥に向かって傾斜するよう構成されるとともに、入口から侵入した小動物が奥に移動して奥に向かって傾斜した状態で入口を閉鎖するよう構成され、
上記奥に向かって下り傾斜となったシーソー板の傾斜状態を保持してロックするロック機構を備え、
上記ロック機構は、上記シーソー板に設けられて捕獲容器の内部で上下する係止片と、上記係止片を捕獲容器の内部で係止してシーソー板をロックする係止手段とを含んで構成され、
上記係止手段は、捕獲容器の外部に露出して係止片の係止を捕獲容器の外部から解除可能な解除部を有しており、
上記シーソー板の奥側端部には、侵入した小動物が乗ったときの重みでシーソー板を奥に向かって傾斜させる押え板が載置され、上記押え板はその奥側端部がヒンジ固定されていることを特徴とする小動物捕獲器。
【請求項２】
上記ロック機構は、シーソー板が入口との間に隙間を作る第１段階と入口を閉鎖する第２段階との２段階にシーソー板の傾斜状態を保持してロックするよう構成されている請求項１記載の小動物捕獲器。
【発明の詳細な説明】
【技術分野】
【０００１】
本発明は、ネズミ等の小動物を捕獲するために使用される小動物捕獲器に関する。
【背景技術】
【０００２】
従来より、ネズミ等の小動物を捕獲するために、例えば下記の特許文献１に示すように、シーソー板を利用した小動物捕獲箱が提供されている。この小動物捕獲箱は、鼠がシーソーの中央より奥に入って行くと、その重さによってシーソーの奥側が少し下がる。すると、回転軸が下側に離れているのでバランスがくずれ、奥側がいっきに底まで下がり、シーソー下部の磁石と箱底の磁石の吸引力で固定される。この状態で、シーソー入口がふさがれることにより鼠が逃げられなくなるようにしている。
【先行技術文献】
【特許文献】
【０００３】
【特許文献１】実用新案登録第３１１３７８６号公報
【発明の概要】
【発明が解決しようとする課題】
【０００４】
上記小動物捕獲箱は、シーソーの奥側がいっきに下がったときに磁石の吸引力で固定するようになっている。このため、捕獲された小動物が驚いて暴れだすと磁石が外れてしまい、せっかく捕獲した小動物に逃げられてしまうという問題がある。一方、鼠等の小動物は尻尾が長く、体長の約１／２は尻尾の長さが占めている。したがって、シーソーの奥側がいっきに下がったときに、磁石の吸引力でシーソーが固定される前に鼠等の尻尾がシーソーと入口の間に挟まってしまい、磁石同士の間にその分隙間が出来て十分に固定することができない。一方、鼠等は、尻尾が挟まることにより異変を感じて逃げようとするので、この状態で鼠等が逆戻りすると、簡単にシーソーが元にもどってしまってせっかく箱に入った鼠等に簡単に逃げられてしまうという問題がある。
【０００５】
本発明は、上記課題を解決するためになされたものであり、小動物を逃がすことなく確実に捕獲することができる小動物捕獲器を提供することをその目的とする。
【課題を解決するための手段】
【０００６】
上記の目的を達成するため、本発明の小動物捕獲器は、捕獲容器に形成された入口を閉鎖することにより上記入口から侵入した小動物を捕獲する小動物捕獲器であって、
捕獲容器内には、上記入口に臨むようにシーソー板が設けられ、
上記シーソー板は、入口から侵入した小動物が奥に移動することにより奥に向かって傾斜するよう構成されるとともに、入口から侵入した小動物が奥に移動して奥に向かって傾斜した状態で入口を閉鎖するよう構成され、
上記奥に向かって下り傾斜となったシーソー板の傾斜状態を保持してロックするロック機構を備え、
上記ロック機構は、上記シーソー板に設けられて捕獲容器の内部で上下する係止片と、上記係止片を捕獲容器の内部で係止してシーソー板をロックする係止手段とを含んで構成され、
上記係止手段は、捕獲容器の外部に露出して係止片の係止を捕獲容器の外部から解除可能な解除部を有していることを要旨とする。
【発明の効果】
【０００７】
本発明の小動物捕獲器によれば、上記奥に向かって傾斜したシーソー板の傾斜状態を保持してロックするロック機構を備えているため、小動物が入口から侵入して奥に移動したときに、シーソー板が奥に向かって傾斜したときにロック機構でシーソー板がロックされるため、捕獲した小動物が暴れたとしても逃げられることがない。
また、上記ロック機構は、上記シーソー板に設けられて捕獲容器の内部で上下する係止片と、上記係止片を捕獲容器の内部で係止してシーソー板をロックする係止手段とを含んで構成されている。このように、係止片が捕獲容器の内部で上下するとともに、その係止片を捕獲容器の内部で係止手段が係止するよう構成されているため、捕獲容器の外側から小動物が接触するなどすることによる外力によってロック機構が破壊される等のおそれがなくなる。
さらに、上記係止手段は、捕獲容器の外部に露出して係止片の係止を捕獲容器の外部から解除可能な解除部を有しており、小動物を捕獲した後のロックの解除は捕獲容器の外部から行うことができ、繰り返し使用する場合の使い勝手が極めて良好である。
また、上記シーソー板の奥側端部には、侵入した小動物が乗ったときの重みでシーソー板を奥に向かって傾斜させる押え板が載置され、上記押え板はその奥側端部がヒンジ固定されているため、
小動物がシーソー板の軸を通過してしばらく進むまではシーソー板が動きにくく、シーソー板がシーソー運動するときも押え板の上下動は小さくてすむ。このため、警戒心の強い小動物が少し足場が傾斜することに警戒して逃げるようなことが少なくなる。そして、小動物が逃げられなくなるまで奥側に移動したときにシーソー板が傾斜してロックされるため、小動物の取り逃がしが大幅に少なくなる。
【０００８】
本発明において、上記ロック機構は、シーソー板が入口との間に隙間を作る第１段階と入口を閉鎖する第２段階との２段階にシーソー板の傾斜状態を保持してロックするよう構成されている場合には、小動物が入口から侵入して奥に移動したときに、シーソー板が奥に向かって傾斜したときに、まず、シーソー板は、入口との間に隙間を作る第１段階でロックされる。このとき、小動物の尻尾は上記隙間によってシーソー板に挟まれることがないうえ、この状態でシーソー板がロックされることから、箱から外へは逃げることが出来ない。つぎに、尻尾まで捕獲容器内に収容されてから小動物がさらに奥に進んだときに、シーソー板が入口を閉鎖する第２段階でロックされるため、入り込んだ小動物は完全に捕獲容器内に捕獲される。
【００１０】
本発明において、上記捕獲容器の入口上部には、入口から捕獲容器内に進入した小動物の尻尾がシーソー板と捕獲容器の間に挟まれるのを防止する切欠きが形成されている場合には、小動物が入口から侵入して奥に移動し、シーソー板が奥に向かって傾斜してロック機構でロックされたときに、小動物の尻尾は上記切欠きによってシーソー板に挟まれることがないうえ、この状態でシーソー板がロックされることから、箱から外へは逃げることが出来ず、入り込んだ小動物は完全に捕獲容器内に捕獲される。
【図面の簡単な説明】
【００１１】
【図１】本発明の第１実施形態における小動物捕獲器の全体構造を示す断面図である。
【図２】上記小動物捕獲器を示す図である。
【図３】上記小動物捕獲器の動作を説明する断面図である。
【図４】上記小動物捕獲器の動作を説明する断面図である。
【図５】上記小動物捕獲器の動作を説明する断面図である。
【図６】上記小動物捕獲器の動作を説明する要部拡大図である。
【図７】本発明の第２実施形態における小動物捕獲器の要部を示す図である。
【発明を実施するための形態】
【００１２】
以下、本発明の小動物捕獲器の実施形態について、図面を参照して詳細に説明する。
【００１３】
図１は、この第１実施形態における小動物捕獲器の全体構造を示す断面図であり、図２（Ａ）は全体の斜視図、（Ｂ）はシーソー板の要部を示す斜視図、（Ｃ）は係止手段の要部を示す斜視図である。
【００１４】
この小動物捕獲器は、捕獲容器１の横面に形成された入口２を閉鎖することにより上記入口２から侵入した小動物を捕獲するものである。図において、符号９は小動物を誘引するための餌９である。
【００１５】
より詳しく説明すると、上記捕獲容器１は、前後方向に延びる直方体状に形成され、前側の壁面下側に入口２が開口している。また、上記捕獲容器１内には、上記入口２に臨むようにシーソー板３が設けられている。上記シーソー板３は、左右の壁面にわたって設けられた軸４により前後にシーソー式に回動するシーソー運動をしうるようになっている。
【００１６】
上記シーソー板３は、軸４に対して入口２側が長く、奥側が短くなるように設定されるとともに、シーソー板３の奥側端部には下垂板５が設けられている。また、上記シーソー板３の奥側端部には、侵入した小動物が乗ったときの重みでシーソー板３を奥に向かって傾斜させる押え板７が載置され、上記押え板７はその奥側端部がヒンジ固定部８により、上下回動可能にヒンジ固定されている。
【００１７】
このような構造により、上記シーソー板３は、初期状態では入口２側から奥に向かって登り傾斜となり、入口２から侵入した小動物がシーソー板３上を奥に移動して押え板７に乗るまで進むことにより、小動物の重みで押え板７がヒンジ固定部８を軸に下向きに回動してシーソー板３の奥側端部を下向きに押える。これにより、シーソー板３がシーソー運動による回動で奥に向かって傾斜するようバランスされている。すなわち、上記シーソー板３は、入口２から侵入した小動物が奥に移動することにより奥に向かって傾斜するよう構成されている。
【００１８】
上記下垂板５は、シーソー板３が上述したシーソー運動をする際の錘として機能するほか、この小動物捕獲器自体を持ち運ぶ等する際に、シーソー板３が捕獲容器１内でバタバタと動き過ぎるのを防ぎ、軸４等を損傷させるのを防止しうるよう機能する。また、上記押え板７の上部には、左右の壁面にわたって設けられた棒状の規制部材１１が配置され、この小動物捕獲器自体を持ち運ぶ等する際に、押え板７が捕獲容器１内でバタバタと動き過ぎるのを防ぎ、ヒンジ固定部８等を損傷させるのを防止している。
【００１９】
さらに、上記シーソー板３は、入口から侵入した小動物が奥に移動して奥に向かって傾斜した状態で、入口側端部３ａが入口２の開口縁２ａの高さと同等以上、好ましくは超える高さになることによりシーソー板が入口２を閉鎖するよう構成されている。
【００２０】
また、この小動物捕獲器は、上記奥に向かって下り傾斜となったシーソー板３の傾斜状態を保持してロックするロック機構６を備えている。
【００２１】
上記ロック機構６は、上記シーソー板３に設けられて捕獲容器１の内部で上下する係止片１２と、上記係止片１２を捕獲容器１の内部で係止することによりシーソー板３をロックする係止手段１３とを含んで構成されている。
【００２２】
この例では、上記係止片１２は、シーソー板３の後端部の両側に設けられ、板状体を折り曲げ形成することによりシーソー板３と一体的に形成されている。上記両係止片１２は、入口２側に上下にそれぞれ第１および第２係止突起１２ａ，１２ｂが設けられている。第１および第２係止突起１２ａ，１２ｂは上側になだらかな傾斜縁が形成され、下側が係止手段１３で係止される引っ掛かりに形成されている。なお、下側の第２係止突起の下側の引っ掛かりは、シーソー板３の下面と面一である。
【００２３】
上記係止手段１３は、左右の壁面にわたって設けられて上記第１および第２係止突起１２ａ，１２ｂを引っ掛けるための係止棒１４と、上記係止棒１４の左右両端部をガイドするためのガイド穴１５とを備えて構成されている。
【００２４】
上記ガイド穴１５は、略Ｖ字状に形成され、Ｖ字の第１辺１５ａが入口２に向かって斜め上を向き、入口２側Ｖ字状に屈曲し、Ｖ字の第２辺１５ｂが奥側に向かって斜め下を向くように配置されている。上記Ｖ字の第１辺１５ａは、ロック機構をＯＮにするときに係止棒１４を配置させる。一方、Ｖ字の第２辺１５ｂは、ロック機構をＯＦＦにするときに係止棒１４を配置させる。
【００２５】
そして、上記ガイド穴１５に、係止棒１４の両端部がスライド移動可能に挿通されるとともに、係止棒１４の両端部は、捕獲容器１の外側に露出してはずれ止め部が形成されている。上記捕獲容器１の外側に露出した係止棒１４の両端部は、係止片１２の係止を捕獲容器１の外部から解除可能な解除部１６として形成されている。すなわち、上記係止手段１３は、捕獲容器１の外部に露出して係止片１２の係止を捕獲容器１の外部から解除可能な解除部１６を有している。
【００２６】
図３〜図６は、本実施形態の小動物捕獲器の動作を説明する図である。
【００２７】
図１が、本実施形態における動作の初期状態であり、シーソー板３の入口側端部３ａが捕獲容器１の床面について上り傾斜の状態となっている。上記係止棒１４は、上記Ｖ字の第１辺１５ａに配置されており、この状態でロック機構６がＯＮになっている。
【００２８】
図３および図６（Ａ）（Ｂ）に示すように、上記初期状態において、入口２から侵入した小動物がシーソー板３上を奥に移動し、押え板７上まで侵入すると、押え板７上に乗った小動物の重みでシーソー板３の奥側端部が上から押さえられ、押え板７がヒンジ固定部８を軸に下向きに回動するとともに、シーソー板３が奥に向かって傾斜するよう回動する。そうすると、シーソー板３の入口側端部３ａ近傍に設けられた係止片１２が上昇する。このとき、第１係止突起１２ａ上側の傾斜面が係止棒１４を押し上げてＶ字の第１辺１５ａに沿ってスライドさせたのち、係止棒１４は再びＶ字の第１辺１５ａに沿って降りてきて第１係止突起１２ａ下側の引っ掛かりの位置で安定する（図３）。この状態で、シーソー板３の入口２側を下げようとしても動かない第１段階のロック状態となる。
【００２９】
そして、この第１段階のロック状態では、図３に示すように、シーソー板３の入口側端部３ａが入口２上部の開口縁２ａとの間に所定の隙間を作るように構成されている。上記隙間は、侵入した小動物の尻尾を挟まない程度の寸法に設定されている。
【００３０】
ここで、上記捕獲容器１の入口２上部には、入口２から捕獲容器１内に進入した小動物の尻尾がシーソー板３と捕獲容器１の間に挟まれるのを防止する切欠き（図示せず）を形成するようにしてもよい。この切欠きは、スリット状の切欠きを複数本、入口２の開口縁２ａから上方に延びるように形成するのが好ましい。
【００３１】
図４および図６（Ｂ）（Ｃ）に示すように、ついで、さらに入口２から侵入した小動物が押え板７上を奥に移動し、押え板７が回動してシーソー板３が奥に向かって傾斜するよう回動していくと、係止片１２がさらに上昇する。このとき、第２係止突起１２ｂ上側の傾斜面が係止棒１４を押し上げてＶ字の第１辺１５ａに沿ってスライドさせたのち、係止棒１４は再びＶ字の第１辺１５ａに沿って降りてきて第２係止突起１２ｂ下側の引っ掛かりの位置で安定する（図４）。この状態で、シーソー板３の入口２側を下げようとしても動かない第２段階のロック状態となる。
【００３２】
そして、この第２段階のロック状態では、図４に示すように、シーソー板３の入口側端部３ａが入口２の開口縁２ａの高さと同等以上の高さとなって入口２を閉鎖するように構成されている。
【００３３】
このように、上記ロック機構６は、シーソー板３が入口２との間に隙間を作る第１段階と、入口２を閉鎖する第２段階との２段階にシーソー板３の傾斜状態を保持してロックするよう構成されている。
【００３４】
上記第１段階のロック状態または第２段階のロック状態からロック解除するときは、捕獲容器１の左右壁の外側に露出した係止棒１４の両端を把持し、Ｖ字の屈曲部まで移動させて係止突起１２ａ，１２ｂと係止棒１４の係止を解除し、その状態でシーソー板３を初期状態の位置まで戻すことが行われる。
【００３５】
図５および図６（Ｄ）に示すように、初期状態において、上記係止棒１４をＶ字の第１辺１５ａからＶ字の第２辺１５ｂのほうに移動させておくことにより、ロックフリー状態とすることができる。すなわち、シーソー板３が回動して係止片１２が上昇したときに、係止棒１４は係止片１２の上面に当るだけで係止突起１２ａ，１２ｂに係止されず、ロックされない。
【００３６】
このように、本実施形態の小動物捕獲器によれば、上記奥に向かって傾斜したシーソー板３の傾斜状態を保持してロックするロック機構６を備えているため、小動物が入口２から侵入して奥に移動したときに、シーソー板３が奥に向かって傾斜したときにロック機構６でシーソー板３がロックされるため、捕獲した小動物が暴れたとしても逃げられることがない。
また、上記ロック機構６は、上記シーソー板３に設けられて捕獲容器１の内部で上下する係止片１２と、上記係止片１２を捕獲容器１の内部で係止してシーソー板３をロックする係止手段１５とを含んで構成されている。このように、係止片１２が捕獲容器１の内部で上下するとともに、その係止片１２を捕獲容器１の内部で係止手段１５が係止するよう構成されているため、捕獲容器１の外側から小動物が接触するなどすることによる外力によってロック機構６が破壊される等のおそれがなくなる。
さらに、上記係止手段１３は、捕獲容器１の外部に露出して係止片１２の係止を捕獲容器１の外部から解除可能な解除部１６を有しており、小動物を捕獲した後のロックの解除は捕獲容器１の外部から行うことができ、繰り返し使用する場合の使い勝手が極めて良好である。
【００３７】
また、上記ロック機構６は、シーソー板３が入口２との間に隙間を作る第１段階と入口２を閉鎖する第２段階との２段階にシーソー板３の傾斜状態を保持してロックするよう構成されている場合には、小動物が入口２から侵入して奥に移動したときに、シーソー板３が奥に向かって傾斜したときに、まず、シーソー板３は、入口２との間に隙間を作る第１段階でロックされる。このとき、小動物の尻尾は上記隙間によってシーソー板３に挟まれることがないうえ、この状態でシーソー板３がロックされることから、箱から外へは逃げることが出来ない。つぎに、尻尾まで捕獲容器１内に収容されてから小動物がさらに奥に進んだときに、シーソー板３が入口２を閉鎖する第２段階でロックされるため、入り込んだ小動物は完全に捕獲容器１内に捕獲される。
【００３８】
また、上記シーソー板３の奥側端部には、侵入した小動物が乗ったときの重みでシーソー板３を奥に向かって傾斜させる押え板７が載置され、上記押え板７はその奥側端部がヒンジ固定されている場合には、小動物がシーソー板３の軸４を通過してしばらく進むまではシーソー板３が動きにくく、シーソー板３がシーソー運動するときも押え板７の上下動は小さくてすむ。このため、警戒心の強い小動物が少し足場が傾斜することに警戒して逃げるようなことが少なくなる。そして、小動物が逃げられなくなるまで奥側に移動したときにシーソー板３が傾斜してロックされるため、小動物の取り逃がしが大幅に少なくなる。
【００３９】
また、上記捕獲容器１の入口２上部には、入口２から捕獲容器１内に進入した小動物の尻尾がシーソー板３と捕獲容器１の間に挟まれるのを防止する切欠きが形成されている場合には、小動物が入口２から侵入して奥に移動し、シーソー板３が奥に向かって傾斜してロック機構６でロックされたときに、小動物の尻尾は上記切欠きによってシーソー板３に挟まれることがないうえ、この状態でシーソー板３がロックされることから、箱から外へは逃げることが出来ず、入り込んだ小動物は完全に捕獲容器１内に捕獲される。
【００４０】
図７は、本発明の第２実施形態を示す。
【００４１】
この例では、捕獲容器１が箱状ではなく、ケージ状に形成されている。そして、係止棒１４の両端には環状部１９が形成され、ケージに取り付けられた鉤状に屈曲形成されたガイド部材１８に上記環状部１９が挿通されてスライドしうるように構成されている。
【００４２】
この例では、上記ガイド部材１８の奥側の傾斜部１８ａがロック可能なロック位置であり、この位置に係止棒１４の環状部１９を位置させることにより、第１段階および第２段階のロックが可能となる。また、入口側の屈曲部１８ｂがロックフリー位置であり、この位置に係止棒１４の環状部１９を位置させることにより、ロックフリーとなる。
【００４３】
それ以外は上記第１実施形態と同様であり、同様の作用効果を奏する。
【符号の説明】
【００４４】
１：捕獲容器
２：入口
２ａ：開口縁
３：シーソー板
３ａ：入口側端部
４：軸
５：下垂板
６：ロック機構
７：押え板
８：ヒンジ固定部
９：餌
１１：規制部材
１２：係止片
１２ａ：第１係止突起（上側）
１２ｂ：第２係止突起（下側）
１３：係止手段
１４：係止棒
１５：ガイド穴
１５ａ：第１辺
１５ｂ：第２辺
１６：解除部
１８：ガイド部材
１８ａ：傾斜部
１８ｂ：屈曲部
１９：環状部
【図１】
0005431834.tif 000002
【図２】
0005431834.tif 000003
【図３】
0005431834.tif 000004
【図４】
0005431834.tif 000005
【図５】
0005431834.tif 000006
【図６】
0005431834.tif 000007
【図７】
0005431834.tif 000008